(57)【要約】【課題】介護情報の入力作業・閲覧作業・管理作業が簡単な介護支援装置、介護支援システム、記録媒体及びプログラムを提供する。【解決手段】介護支援装置１００は、介護施設において、介護計画作成者、介護実施者および／あるいは介護管理請求者などが介護情報を共有するために用いられる介護支援装置であって、複数のセルが行列状に並ぶ管理表１であって、一方の行又は列に属人的な項目１ａを備えるとともに、他方の列又は行に属性的な項目１ｂを備え、前記セルに入力された介護情報が分布的に表示される管理表１を記憶する記憶手段１０と、記憶手段１０に記憶された管理表１を出力する出力手段２１と、出力手段２１により出力された管理表１に前記介護情報を入力する入力手段２２とを備えることを特徴とする。【選択図】図２
2015043185.tif 000002
【特許請求の範囲】
【請求項１】
介護施設において、介護計画作成者、介護実施者および／あるいは介護管理請求者などが介護情報を共有するために用いられる介護支援装置であって、
複数のセルが行列状に並ぶ管理表であって、一方の行又は列に属人的な項目を備えるとともに、他方の列又は行に属性的な項目を備え、前記セルに入力された介護情報が分布的に表示される管理表を記憶する記憶手段と、
前記記憶手段に記憶された前記管理表を出力する出力手段と、
前記出力手段により出力された前記管理表に前記介護情報を入力する入力手段とを備えることを特徴とする介護支援装置。
【請求項２】
前記記憶手段は、前記入力手段により前記介護情報が入力されると前記管理表を逐次更新するとともに、
前記出力手段は、前記記憶手段において逐次更新された前記管理表を逐次出力する請求項１に記載の介護支援装置。
【請求項３】
前記出力手段は、入力を補助するための複数のアイコンから構成される第１のアイコン群を管理表の周囲に出力し、前記入力手段により第１のアイコン群のいずれかのアイコンが選択されると、該アイコンに対応する数字、文字、および／あるいは記号からなるダイアログボックスを管理表上に重ねて出力する請求項１または請求項２に記載の介護支援装置。
【請求項４】
前記記憶手段は、複数の管理表を記憶しており、
前記出力手段は、管理表を変更するための複数のアイコンからなる第２のアイコン群を該管理表の周囲に出力し、前記入力手段により第２のアイコン群のいずれかのアイコンが選択されると、該アイコンに対応した管理表を前記記憶手段から読み出して出力する請求項１ないし請求項３のいずれかに記載の介護支援装置。
【請求項５】
請求項１ないし請求項４のいずれかに記載の介護支援装置を備えた介護支援システムであって、サーバコンピュータと、該サーバコンピュータにネットワークを介して通信可能に接続された一ないし複数の情報端末とからなり、該サーバコンピュータは少なくとも前記記憶手段を備えるとともに、該情報端末は前記出力手段および入力手段を備え、各情報端末において前記サーバコンピュータの記憶手段に記憶された前記管理表を出力したり、前記管理表に前記介護情報を入力することを特徴とする介護支援システム。
【請求項６】
コンピュータを、
複数のセルが行列状に並ぶ管理表であって、一方の行又は列に属人的な項目を備え、他方の列又は行に属性的な項目を備え、前記セルに入力された入力情報が分布的に表示される管理表を記憶する記憶手段、
前記記憶手段に記憶された前記管理表を出力する出力手段、
前記出力手段により出力された前記管理表に介護情報を入力する入力手段として機能させるコンピュータプログラムが記録されたコンピュータ読み取り可能な記録媒体。
【請求項７】
コンピュータを、
複数のセルが行列状に並ぶ管理表であって、一方の行又は列に属人的な項目を備え、他方の列又は行に属性的な項目を備え、前記セルに入力された入力情報が分布的に表示される管理表を記憶する記憶手段、
前記記憶手段に記憶された前記管理表を出力する出力手段、
前記出力手段により出力された前記管理表に介護情報を入力する入力手段として機能させることを特徴とするコンピュータプログラム。
【発明の詳細な説明】
【技術分野】
【０００１】
本発明は、介護施設で用いられる介護支援装置、介護支援システム、記録媒体及びコンピュータプログラムに関するものである。
【背景技術】
【０００２】
従来より、介護を行う介護スタッフは、介護計画を作成する介護計画者（介護福祉士、ケアマネジャー、社会福祉士、生活相談員、医師、看護師、理学療法士、作業療法士、栄養士、福祉住環境コーディネータ、福祉用具専門相談員、医療ソーシャルワーカ、精神科ソーシャルワーカ、薬剤師など）と、介護現場で実際に介護を行う介護実施者（ヘルパー、介護福祉士、ケアマネジャー、医師、看護師、理学療法士、作業療法士、栄養士、医療ソーシャルワーカ、精神科ソーシャルワーカ、薬剤師など）と、介護レセプトや介護記録などを作成する介護管理請求者とで構成される。もっとも、これらは明確に区分されるわけではなく、介護計画者が現場で介護を行う場合も、介護実施者が介護計画を作成する場合もある。これらのうち特に介護実施者については、現場での介護が重労働である等の理由により人手が不足している。
【０００３】
このため、介護計画は、一人の介護実施者が複数の被介護者の介護を行うよう時間毎に細かく設定されている。加えて、この介護計画は、被介護者の健康状態や介護の必要性などに応じて介護実施者の担当が変更するなど、時々刻々に変化する。そのため、介護計画に沿って円滑に介護が実施されるよう、介護計画などの介護情報を介護スタッフで共有する必要がある。そのための種々のシステムが考案されている。
【０００４】
特許文献１には、被介護者の介護情報にアクセス可能とし、情報共有を可能とするための、縦軸を被介護者の氏名、横軸を被介護者のバイタル情報（体温、血圧等）とした管理表を表示する技術が開示されている。
【０００５】
特許文献２には、被介護者の介護情報をリアルタイムに共有するための、縦軸を被介護者の氏名、横軸を被介護者の食事情報とした管理表を表示する技術が開示されている。
【０００６】
特許文献３には、被介護者の介護情報を自動送信によりリアルタイムに共有するための、縦軸を被介護者の氏名、横軸を被介護者のナースコール情報とした管理表を表示したタッチパネルが開示されている。
【先行技術文献】
【特許文献】
【０００７】
【特許文献１】特開２００９−２１１４７０号公報
【特許文献２】特開２００６−２７７０４９号公報
【特許文献３】特開２００２−２６９２３８号公報
【発明の概要】
【発明が解決しようとする課題】
【０００８】
ところが、特許文献１の技術では、介護情報を閲覧する都度データベースにアクセスする必要があり、面倒であった。
【０００９】
特許文献２，３の技術では、介護計画作成者・介護実施者・介護管理請求者の作業する画面が共通のものではないため、介護情報の入力作業・閲覧作業・管理作業が煩雑であった。
【００１０】
本発明は、上述の問題（技術的背景）に鑑みてなされたものであり、介護情報の入力作業・閲覧作業・管理作業を簡単かつ確実に行うことができる介護支援装置、介護支援システム、記録媒体及びプログラムを提供することを目的とする。
【課題を解決するための手段】
【００１１】
本発明は、上記目的を達成するために、介護施設において、介護計画作成者、介護実施者および／あるいは介護管理請求者などが介護情報を共有するために用いられる介護支援装置であって、複数のセルが行列状に並ぶ管理表であって、一方の行又は列に属人的な項目を備えるとともに、他方の列又は行に属性的な項目を備え、前記セルに入力された介護情報が分布的に表示される管理表を記憶する記憶手段と、前記記憶手段に記憶された前記管理表を出力する出力手段と、前記出力手段により出力された前記管理表に前記介護情報を入力する入力手段とを備えることを特徴とする。
【００１２】
これによれば、複数のセルが行列状に並ぶ管理表が前記介護支援装置の出力手段により出力されるため、介護計画作成者・介護実施者・介護管理請求者がこの共通の簡素な管理表で作業でき、介護情報の入力作業・閲覧作業・管理作業を簡単かつ確実に行うことができる。また、セルに入力された入力情報が分布的に表示されるため、介護の進捗状況の把握が容易となる。
【００１３】
また、前記記憶手段は、前記入力手段により前記介護情報が入力されると前記管理表を逐次更新するとともに、前記出力手段は、前記記憶手段において逐次更新された前記管理表を逐次出力するものであってもよい。これによれば、前記出力手段が前記記憶手段において逐次更新された前記管理表を逐次出力するため、管理表の閲覧者は介護情報をリアルタイムに共有することが可能となる。
【００１４】
また、前記出力手段は、入力を補助するための複数のアイコンから構成される第１のアイコン群を管理表の周囲に出力し、前記入力手段により第１のアイコン群のいずれかのアイコンが選択されると、該アイコンに対応する数字、文字、および／あるいは記号からなるダイアログボックスを管理表上に重ねて出力してもよい。これによれば、第１のアイコン群により入力作業が補助されるため、介護情報の入力作業が一層簡単になる。
【００１５】
また、前記記憶手段は、複数の管理表を記憶しており、前記出力手段は、管理表を変更するための複数のアイコンからなる第２のアイコン群を該管理表の周囲に出力し、前記入力手段により第２のアイコン群のいずれかのアイコンが選択されると、該アイコンに対応した管理表を前記記憶手段から読み出して出力してもよい。これによれば、前記出力手段は、前記アイコンに対応した管理表を出力するため、複数の前記管理表を共有することができ、さらに前記アイコンを選択することのみによって前記管理表が切り替わるため、介護情報の入力作業・閲覧作業・管理作業がさらに一層簡単になる。
【００１６】
本発明は、前記介護支援装置を備えた介護支援システムであって、サーバコンピュータと、該サーバコンピュータにネットワークを介して通信可能に接続された一ないし複数の情報端末とからなり、該サーバコンピュータは少なくとも前記記憶手段を備えるとともに、該情報端末は前記出力手段および入力手段を備え、各情報端末において前記サーバコンピュータの記憶手段に記憶された前記管理表を出力したり、前記管理表に前記介護情報を入力することを特徴とする。
【００１７】
これによれば、前記管理表を前記サーバコンピュータの記憶手段によって一元管理することができるため、前記情報端末の閲覧者の間で介護情報をリアルタイムに共有することができる。
【００１８】
本発明は、コンピュータを、複数のセルが行列状に並ぶ管理表であって、一方の行又は列に属人的な項目を備え、他方の列又は行に属性的な項目を備え、前記セルに入力された介護情報が分布的に表示される管理表を記憶する記憶手段、前記記憶手段に記憶された前記管理表を出力する出力手段、前記出力手段により出力された前記管理表に介護情報を入力する入力手段として機能させるコンピュータプログラムが記録されたことを特徴とするコンピュータ読み取り可能な記録媒体である。
である。
【００１９】
これによれば、該記録媒体に記録されたコンピュータプログラムをコンピュータにインストールすれば、複数のセルが行列状に並ぶ管理表が出力手段によって出力され、介護計画作成者・介護実施者・介護管理請求者がこの共通の簡素な表で作業できるため、介護情報の入力作業・閲覧作業・管理作業を簡単かつ確実に行うことができる。また、セルに入力された介護情報が分布的に表示されるため、介護の進捗状況の把握が容易となる。
【００２０】
本発明は、コンピュータを、複数のセルが行列状に並ぶ管理表であって、一方の行又は列に属人的な項目を備え、他方の列又は行に属性的な項目を備え、前記セルに入力された介護情報が分布的に表示される管理表を記憶する記憶手段、前記記憶手段に記憶された前記管理表を出力する出力手段、前記出力手段により出力された前記管理表に介護情報を入力する入力手段として機能させることを特徴とするプログラムである。
【００２１】
これによれば、コンピュータプログラムをコンピュータにインストールすれば、複数のセルが行列状に並ぶ管理表が出力手段によって出力され、介護計画作成者・介護実施者・介護管理請求者がこの共通の簡素な表で作業できるため、介護情報の入力作業・閲覧作業・管理作業簡単かつ確実に行うことができる。また、セルに入力された介護情報が分布的に表示されるため、介護の進捗状況の把握が容易となる。
【発明の効果】
【００２２】
本発明によれば、複数のセルが行列状に並ぶ管理表が前記介護支援装置の出力手段により出力されるため、介護計画作成者・介護実施者・介護管理請求者がこの共通の簡素な管理表で作業でき、介護情報の入力作業・閲覧作業・管理作業を簡単かつ確実に行うことができる。また、セルに入力された入力情報が分布的に表示されるため、介護の進捗状況の把握が容易となる。このため介護現場における介護の作業効率が向上し、迅速、正確かつ丁寧な介護に資することが可能となる。
【図面の簡単な説明】
【００２３】
【図１】介護支援装置の構成概略図である。
【図２】医療行為に関する管理表を示す図である。
【図３】介護支援装置の動作を示すフローチャートである。
【図４】介護施設の利用状況に関する管理表を示す図である。
【図５】ポップアップするテンキーを示す図である。
【図６】バイタル情報に関する管理表を示す図である。
【図７】送迎の情報に関する管理表を示す図である。
【図８】食事の情報に関する管理表を示す図である。
【図９】その他のケア情報に関する管理表を示す図である。
【図１０】薬の情報に関する管理表を示す図である。
【図１１】実費の情報に関する管理表を示す図である。
【図１２】レンタル等の情報に関する管理表を示す図である。
【図１３】介護支援システムの構成概略図である。
【発明を実施するための形態】
【００２４】
＜第１の実施形態＞
本発明に係る介護支援装置（以下、本装置１００という）の第１の実施形態について図１〜図３を参照しつつ説明する。  
【００２５】
本装置１００は、図１に示すように、複数のセルが行列状に並ぶ管理表１を記憶する記憶部１０と、管理表１を画像として出力する出力部２１と、出力部２１に出力された管理表１に介護情報を入力する入力部２２と、本装置１００全体を制御する制御部３０とを備える。
【００２６】
管理表１は、図２に示すように、左端のセルで構成される行１ａに属人的な項目を備え、上端のセルで構成される列１ｂに属性的な項目を備えている。属人的な項目とは、例えば、「大阪太郎」「東京花子」「名古屋次郎」「横浜三郎」「福岡四郎」「神戸五郎」「仙台六郎」などの利用者名のような利用者に固有の項目である。その他利用者ナンバー等であってもよい。属性的な項目とは、例えば、「リハビリ１」「リハビリ２」「リハビリ３」「診察１」「診察２」「薬１」「薬２」「薬３」「注意点」などの医療行為に関する項目などである。
【００２７】
この管理表１において、行が被介護者を表し、列が医療行為を表す。例えば、名古屋次郎さんのリハビリ２の状況は、「名古屋次郎」の行の「リハ２」の列のセルに入力され、名古屋次郎さんのリハビリ３の状況は、「名古屋次郎」の行で「リハ２」の一列右に位置する「リハ３」の列のセルに入力され、横浜三郎さんのリハビリ２の状況は、「名古屋次郎」の行の一行下に位置する「横浜三郎」の行の「リハ２」の列のセルに入力される。このように、セルが平面的に並んで分布しているため、セルに入力された情報が分布的に表示される。この管理表１を用いてどのように介護情報が共有されるかについては後ほど詳述する。
【００２８】
記憶部１０は、制御部４０からの指令に基づいて管理表１を電子データとして記憶する記憶手段である。記憶部１０は、管理表１に入力された介護情報をアプリケーションソフトウェア上の記憶領域において記憶する。
【００２９】
出力部２１は、管理表１を画像として出力するタッチパネル２０である。出力部２１に表示された管理表１は、介護計画作成者・介護実施者・介護管理請求者により確認され、管理表１から看取される介護情報が、介護計画作成者・介護実施者・介護管理請求者により共有される。
【００３０】
入力部２２は、行列状の管理表１に介護情報を入力するタッチパネル２０である。入力部２２が直感的なタッチ操作で入力可能なタッチパネル２０であるため、オペレータは、介護情報の入力作業を簡単に行うことができる。
【００３１】
制御部３０は、本装置１００を全体的に制御する。制御部３０は、入力部２２への入力を記憶するための指令を記憶部１０に送信し、記憶部１０に記憶された管理表１を出力する指令を出力部２０に送信する。
【００３２】
管理表１を用いて介護計画作成者・介護実施者・介護管理請求者で介護情報がどのように共有されるかについて詳述する。介護計画者は、あらかじめ、被介護者とリハビリとを表すセル、例えば、「名古屋次郎」の行の「リハ２」の列のセルに「確」の文字を入力する。これにより、該セルのリハビリが「確認待ち」の状態であることが、タッチパネルを閲覧した介護計画作成者・介護実施者・介護管理請求者の間で共有される。該セルのリハビリが「確認待ち」の状態であることを確認した介護実施者は、該当する被介護者に該当するリハビリを行った後、前記セルに「１」を入力する。セルに「１」が入力されていることを確認した他の介護実施者や介護計画作成者・介護管理請求者は、セルに対応する被介護者のリハビリが完了したことを確認できる。
【００３３】
また、管理表１は、セルが平面的に並んで分布しているため、セルに入力された情報が分布的に表示される。このため、管理表１を見た介護スタッフは、介護の進捗状況を容易に把握することができる。具体的には、行「名古屋次郎」「横浜三郎」「福岡四郎」の列「リハ３」「診察１」「診察２」「薬１」には、「１」が入力されているため、この三人については、介護が順調に進捗しており、同一内容の介護を受けたことが容易に把握できる。これに対して、行「神戸五郎」「仙台六郎」の列の項目には、いずれも「確」が入力されているため、この二人については、介護が進捗していないことが容易に把握できる。
【００３４】
なお、上記説明では、あらかじめ介護計画者が「確」の文字をセルに入力する例を示したが、これに限られない。未入力のセルに介護実施者が直接「１」の文字を入力してもよい。また、管理表１のセルに入力される文字は、「確」や「１」のみに限られない。例えば、大阪太郎さんについて水分摂取に注意する必要があるときは、図２に示すように、「大阪太郎」の行で「注意点」の列のセルに「水分」と入力してもよい。この場合、大阪太郎さんの水分摂取に注意する必要があるという情報を介護スタッフで共有することができる。
【００３５】
以上のように、介護情報の入力・閲覧が同一の簡素な管理表１により行われるため、介護情報の入力作業・閲覧作業・管理作業が簡単になる。
【００３６】
この本装置１００による介護情報管理方法（処理）について、図３に示すフローチャートを用いて具体的に説明する。なお、以下の説明及び図面では、「ステップ」を「Ｓ」と略記する。
【００３７】
まず、Ｓ１で、ログイン画面を表示し、ログインされたか検出する。この際、ログインするオペレータは、「ログＯＮ」と表示されたアイコンを選択する。すると出力部２１にパスワード入力画面が表示される。オペレータはあらかじめ定められたパスワードを入力する。正確なパスワードが入力された場合は、ログインされ（Ｓ１でＹＥＳ）、Ｓ２に進む。正確なパスワードが入力されなかったり、「ログＯＮ」と表示されたアイコンの選択そのものがない場合は、ログインされず（Ｓ１でＮＯ）、Ｓ１に戻り、ログインの有無を再度検出する。
【００３８】
Ｓ２では、本装置１００の制御部３０が、その指令に基づいて記憶部１０に保存されている管理表１を読み込み、Ｓ３に進む。
【００３９】
Ｓ３では、本装置１００の出力部２１が、制御部３０の指令に基づいて記憶部１０が記憶している管理表１をタッチパネル２０のモニタ上に出力する。これにより、管理表１が閲覧可能でかつ入力待ちの状態になり、Ｓ４に進む。
【００４０】
Ｓ４では、本装置１００の制御部３０が、入力部２２への介護情報の入力があったか否かを検出する。入力があった場合（Ｓ４でＹＥＳ）は、Ｓ５に進む。入力が無かった場合（Ｓ４でＮＯ）は、Ｓ４に戻り、入力の有無を再度検出する。
【００４１】
Ｓ５では、本装置１００の制御部３０が、記憶部１０に記憶されている管理表１を、Ｓ４での入力後のものに随時書き換えて更新し、Ｓ３に戻る。
【００４２】
このように、記憶部１０は、入力部２２により介護情報が入力されると管理表１を逐次更新するとともに、出力部２１は、記憶部１０において逐次更新された管理表１を逐次出力する。これによれば、出力部２１が記憶部１０において逐次更新された管理表１を逐次出力するため、管理表１の閲覧者は介護情報をリアルタイムに共有することが可能となる。
【００４３】
＜第２の実施形態＞
本実施形態の管理表１は、図４に示すように、介護者の介護施設利用状況の情報を表すものである。この場合、属性的な項目には、例えば、予定と実際を表す「予／実」、通所を表す「通」、宿泊を表す「泊」、帰宅を表す「帰」、入浴を表す「浴」、訪問を表す「訪」などが用いられる。利用者数が一目で確認できるよう、属性的な項目の列ごとに、その列に入力された「１」の総和を表示するセルを設けてもよい。
【００４４】
出力部２１は、図４に示すように、入力を補助するための複数のアイコンから構成される第１のアイコン群２を管理表１の上側に出力し、入力部２２により第１のアイコン群２のいずれかのアイコンが選択されると、該アイコンに対応する数字、文字、および／あるいは記号からなるダイアログボックスを管理表上に重ねて出力する。第１のアイコン群２は、「Cle」「１」「数」「文」「Ｎｏ」「文」「拒」「中」「体」「本」「受」「レク」「リハ」「Ｃ」「休」などと表示された文字アイコンからなる。例えば、「Cle」と表示されたアイコンを選択するとセルの入力情報がクリアされ、「１」と表示されたアイコンを選択するとセルに１が入される。第１のアイコン群２の数値アイコン２ａをタッチすると、図５に示すようなテンキー４がポップアップする。これによれば、第１のアイコン群２により入力作業が補助されるため、介護情報の入力作業が一層簡単になる。
【００４５】
また、記憶部１０は、複数の管理表１を記憶しており、出力部２１は、図４に示すように、管理表１を変更するための複数のアイコンからなる第２のアイコン群３を該管理表１の左側に出力し、入力部２２により第２のアイコン群３のいずれかのアイコンが選択されると、該アイコンに対応した管理表１を記憶部１０から読み出して出力する。第２のアイコン群３は、「予実」「バイタ」「送迎」「食事」「他ケ」「薬」「実費」「レンタ」「All」などと表示された文字アイコンからなる。本実施形態では、「予実」アイコンが選択されている。これによれば、出力部２１は、前記アイコンに対応した管理表１を出力するため、複数の管理表１を共有することができ、さらに前記アイコンを選択することのみによって管理表１が切り替わるため、介護情報の入力作業・閲覧作業・管理作業がさらに一層簡単になる。
【００４６】
＜第３の実施形態＞
本実施形態の管理表１は、上記第２のアイコン群３の「バイタ」と表示されたバイタルアイコンが選択された場合のものである。管理表１は、図６に示すように、介護者のバイタル情報を表すものである。この場合、属性的な項目には、例えば、「体温」、「最高血圧」、「最低血圧」、「脈拍」、「体重」、「再検時間」、「再検」などが用いられる。
【００４７】
バイタル情報など数値をセルに入力する場合、オペレータは、第１のアイコン群２の数値アイコン２ａをタッチし、テンキー４により該数値を入力するとよい。
【００４８】
＜第４の実施形態＞
本実施形態の管理表１は、第２のアイコン群３の「送迎」と表示された送迎アイコンが選択された場合のものである。管理表１は、図７に示すように、介護者の送迎の情報を表すものである。この場合、属性的な項目には、例えば、送迎する日数を表す「送り」、「迎え時間」、「送り時間」などが用いられる。
【００４９】
＜第５の実施形態＞
本実施形態の管理表１は、第２のアイコン群３の「食事」と表示された食事アイコンが選択された場合のものである。管理表１は、図８に示すように、介護者の食事の情報を表すものである。この場合、属性的な項目には、例えば、「朝食摂取量」、「朝口腔ケア」、「朝水分」、「昼食摂取量」、「昼口腔ケア」、「昼水分」、「夕食摂取量」、「夕口腔ケア」、「夕水分」などが用いられる。
【００５０】
＜第６の実施形態＞
本実施形態の管理表１は、第２のアイコン群３の「他ケ」と表示されたその他ケアアイコンが選択された場合のものである。管理表１は、図９に示すように、介護者のその他のケア情報を表すものである。この場合、属性的な項目には、例えば、「排尿」、「排便」などが用いられる。
【００５１】
＜第７の実施形態＞
本実施形態の管理表１は、第２のアイコン群３の「薬」と表示された薬アイコンが選択された場合のものである。管理表１は、図１０に示すように、介護者の薬の情報を表すものである。この場合、属性的な項目には、例えば、「薬剤料金」、「診察料金」、「薬１」、「薬２」、「薬３」、「薬１CHK」、「薬２CHK」、「薬３CHK」などが用いられる。図１０において、介護実施者が、「薬１」の列のセルに処方する薬に関する情報を入力し、介護管理請求者が、その情報に基づいて「薬剤料金」の列のセルに請求額を入力してもよい。
【００５２】
＜第８の実施形態＞
本実施形態の管理表１は、第２のアイコン群３の「実費」と表示された実費アイコンが選択された場合のものである。管理表１は、図１１に示すように、介護者の実費の情報を表すものである。この場合、属性的な項目には、例えば、「パッドストレート（ピンク）」、「パッドワイド（グレイ）」、「パッド（グリーン）」、「リハパン」、「紙おむつ」、「＜単＞パッドストレート（ピンク）」、「＜単＞パッドワイド（グレイ）」、「＜単＞パッド（グリーン）」、「＜単＞リハパン」、「＜単＞紙おむつ」、「ポータブルトイレ」、「カット」、「カラー」、「パーマ」、「カット＋カラー」、「カット＋パーマ」、「顔そり」、「散髪（顔そり含む）」、「顔そりのみ」、「フェースタオル」、「バスタオル」、「ハンドタオル」などが用いられる。
【００５３】
＜第９の実施形態＞
本実施形態の管理表１は、第２のアイコン群３の「レンタ」と表示されたレンタルアイコンが選択された場合のものである。管理表１は、図１２に示すように、介護者のレンタル等の情報を表すものである。この場合、属性的な項目には、例えば、「テレビのレンタル」、「飲み物」などが用いられる。
【００５４】
＜第１０の実施形態＞
次に、本発明に係る介護支援システムの一の実施形態について図１３を参照しつつ説明する。
【００５５】
本発明に係る介護支援システム１１０は、サーバコンピュータ（以下サーバ１２０という。）と、サーバ１２０にネットワークを介して通信可能に接続された複数の情報端末１３０からなる。サーバ１２０は、記憶部１０を備える一方、各情報端末１３０は、出力手段２１および入力手段２２を備える。各情報端末１３０は、サーバ１２０の記憶部１０に記憶された管理表１を出力したり、管理表１に介護情報を入力する。
【００５６】
これによれば、管理表１をサーバ１２０の記憶部１０によって一元管理することができるため、情報端末１３０の閲覧者の間で介護情報をリアルタイムに共有することができる。
【００５７】
情報端末１３０としては、デスクトップパーソナルコンピュータ、ノート型パーソナルコンピュータ、タブレット端末などが用いられる。各情報端末１３０は、サーバ１２０を介して、同一の施設内に設けられてもよいし、異なる施設に設けられてもよい。情報端末１３０が異なる施設に設けられた場合は、異なる施設の間で介護情報を共有することができる。情報端末１３０にタブレット端末を使用する場合は、訪問介護ヘルパー等介護施設の外部の者であってもタブレット端末によりサーバ１２０を介して介護支援システム１１０にアクセスすることができる。この場合、訪問介護ヘルパー等とも介護情報を共有することができる。
【００５８】
なお、管理表１の属人的な項目及び属性的な項目は、上記の例に限られない。共有すべき情報にあわせて適宜変更してよい。
【００５９】
また、管理表１は、被介護者に関する情報を共有するものに限らず、介護側に関する情報を共有してもよい。例えば、介護施設の社員に関する情報を共有するものであってもよい。この場合、介護施設の社員に関する情報も共有できるため、介護施設を運営するためのシステムが単純化され、運営コストを低減することができる。
【００６０】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６１】
１…管理表
２…第１のアイコン群
３…第２のアイコン群
４…テンキー
１０…記憶部
２０…タッチパネル
２１…出力部
２２…入力部
３０…制御部
【図１】
2015043185.tif 000003
【図２】
2015043185.tif 000004
【図３】
2015043185.tif 000005
【図４】
2015043185.tif 000006
【図５】
2015043185.tif 000007
【図６】
2015043185.tif 000008
【図７】
2015043185.tif 000009
【図８】
2015043185.tif 000010
【図９】
2015043185.tif 000011
【図１０】
2015043185.tif 000012
【図１１】
2015043185.tif 000013
【図１２】
2015043185.tif 000014
【図１３】
2015043185.tif 000015